(57)【要約】【課題】複数の商品を吊り下げ棒に陳列する際に任意の位置で商品を出し入れすること、および吊り下げ棒からの不用意な脱離を防止することを可能とする吊り下げ具を提供すること。【解決手段】本発明の吊り下げ具は、折り曲げ線を介して折り曲げ可能な１枚のシート材からなる、吊り下げ具であって、該折り曲げ線から一方に延びる第１の切り込み部と、該折り曲げ線から他方に延びる第２の切り込み部とを有し、該吊り下げ具を該折り曲げ線を介して下方向に折り曲げた際には、該第１の切り込み部により形成される第１の突出部および該第２の切り込み部により形成される第２の突出部が、該折り曲げ線から上方向に起立し、該第１の突出部および該第２の突出部の一部が重なり合うことにより、吊り下げ孔が形成される。【選択図】図１
2015003761.tif 000002
【特許請求の範囲】
【請求項１】
折り曲げ線を介して折り曲げ可能な１枚のシート材からなる吊り下げ具であって、
該折り曲げ線から一方に延びる第１の切り込み部と、該折り曲げ線から他方に延びる第２の切り込み部とを有し、
該吊り下げ具を該折り曲げ線を介して下方向に折り曲げた際には、該第１の切り込み部により形成される第１の突出部および該第２の切り込み部により形成される第２の突出部が、該折り曲げ線から上方向に起立し、該第１の突出部および該第２の突出部の一部が重なり合うことにより、吊り下げ孔が形成される、
吊り下げ具。
【請求項２】
折り曲げ線を介して左右に折り曲げ可能な１枚のシート材からなる、吊り下げ具であって、
該シート材が、折り曲げ線により区分される第１の領域と第２の領域とを有し、
該第１の領域において、上方向に延びる第１の突出部を有し、
該第２の領域において、上方向に延びる第２の突出部を有し、
該吊り下げ具を該折り曲げ線を介して折り曲げた際には、該第１の突出部および該第２の突出部の一部が重なり合うことにより、吊り下げ孔が形成される、
吊り下げ具。
【請求項３】
折り曲げ線を介して上下に折り曲げ可能な１枚のシート材からなる、吊り下げ具であって、
該シート材が、折り曲げ線により区分される第１の領域と第２の領域とを有し、
該第１の領域において、上方向に延びる第１の突出部を有し、
該第２の領域において、下方向に延びる第２の突出得を有し、
該吊り下げ具を該折り曲げ線を介して折り曲げた際には、該第１の突出部および該第２の突出部の一部が重なり合うことにより、吊り下げ孔が形成される、
吊り下げ具。
【請求項４】
前記第１の突出部が、鉤状である、請求項１から３のいずれかに記載の吊り下げ具。
【請求項５】
前記シート材が、折り曲げた際に内側となる面に、粘着剤層を有する、請求項１から４のいずれかに記載の吊り下げ具。
【請求項６】
請求項１から５のいずれかに記載の吊り下げ具を有する、包装材。
【発明の詳細な説明】
【技術分野】
【０００１】
本発明は、吊り下げ具に関する。
【背景技術】
【０００２】
従来から、商品を包装用袋等に収納して店頭に展示する際、包装用袋の上部に吊り下げ具を設けて、吊り下げ棒に吊り下げて陳列することが行われている。この吊り下げ具は、通常、吊り下げ棒に引っかけることが可能なようにフック部を有するか、あるいは、吊り下げ棒が挿入可能なように穴が設けられている。
【０００３】
フック部を有する吊り下げ具が設けられた包装用袋は、吊り下げ棒に複数陳列する場合に、任意の位置で出し入れすることができるという利点を有する。しかしながら、フック部の形状が開いた形状であるために、陳列された包装用袋が揺動すれば不用意に脱離するという問題がある。一方、穴を有する吊り下げ具が設けられた包装用袋は、不用意な離脱が防止されるという利点を有するが、吊り下げ棒の端でしか出し入れができないという問題がある。
【先行技術文献】
【特許文献】
【０００４】
【特許文献１】特開２００１−００２１２３号公報
【特許文献２】実開平６−４９３４４号公報
【発明の概要】
【発明が解決しようとする課題】
【０００５】
本発明は上記従来の課題を解決するためになされたものであり、その目的とするところは、複数の商品を吊り下げ棒に陳列する際に任意の位置で商品を出し入れすること、および吊り下げ棒からの不用意な脱離を防止することを可能とする吊り下げ具を提供することにある。
【課題を解決するための手段】
【０００６】
本発明の吊り下げ具は、折り曲げ線を介して折り曲げ可能な１枚のシート材からなる吊り下げ具であって、該折り曲げ線から一方に延びる第１の切り込み部と、該折り曲げ線から他方に延びる第２の切り込み部とを有し、該吊り下げ具を該折り曲げ線を介して下方向に折り曲げた際には、該第１の切り込み部により形成される第１の突出部および該第２の切り込み部により形成される第２の突出部が、該折り曲げ線から上方向に起立し、該第１の突出部および該第２の突出部の一部が重なり合うことにより、吊り下げ孔が形成される。
別の実施形態においては、本発明の吊り下げ具は、折り曲げ線を介して左右に折り曲げ可能な１枚のシート材からなる、吊り下げ具であって、該シート材が、折り曲げ線により区分される第１の領域と第２の領域とを有し、該第１の領域において、上方向に延びる第１の突出部を有し、該第２の領域において、上方向に延びる第２の突出部を有し、該吊り下げ具を該折り曲げ線を介して折り曲げた際には、該第１の突出部および該第２の突出部の一部が重なり合うことにより、吊り下げ孔が形成される。
さらに別の実施形態においては、本発明の吊り下げ具は、折り曲げ線を介して上下に折り曲げ可能な１枚のシート材からなる、吊り下げ具であって、該シート材が、折り曲げ線により区分される第１の領域と第２の領域とを有し、該第１の領域において、上方向に延びる第１の突出部を有し、該第２の領域において、下方向に延びる第２の突出得を有し、該吊り下げ具を該折り曲げ線を介して折り曲げた際には、該第１の突出部および該第２の突出部の一部が重なり合うことにより、吊り下げ孔が形成される。
好ましい実施形態においては、上記第１の突出部が、鉤状である。
好ましい実施形態においては、上記シート材が、折り曲げた際に内側となる面に、粘着剤層を有する。
本発明の別の局面によれば、包装材が提供される。この包装材は、上記吊り下げ具を有する。
【発明の効果】
【０００７】
本発明によれば、複数の商品を吊り下げ棒に陳列する際に任意の位置で商品を出し入れすること、および吊り下げ棒からの落下を防止することを可能とする吊り下げ具を提供することができる。
【図面の簡単な説明】
【０００８】
【図１】本発明の１つの実施形態による吊り下げ具の概略平面図である。
【図２】図１の吊り下げ具を折り曲げた状態を示す概略斜視図である。
【図３】（ａ）〜（ｃ）は、本発明の吊り下げ具の使用形態の一例を説明する図である。
【図４】本発明の別の実施形態による吊り下げ具の概略平面図である。
【図５】本発明のさらに別の実施形態による吊り下げ具の概略平面図である。
【図６】（ａ）および（ｂ）は、本発明のさらに別の実施形態による吊り下げ具の概略平面図である。
【図７】本発明のさらに別の実施形態による吊り下げ具の概略平面図である。
【図８】本発明のさらに別の実施形態による吊り下げ具の概略平面図である。
【図９】本発明のさらに別の実施形態による吊り下げ具の概略平面図である。
【図１０】（ａ）および（ｂ）は、本発明のさらに別の実施形態による吊り下げ具の概略平面図である。
【発明を実施するための形態】
【０００９】
Ａ.第１の実施形態
図１は、本発明の１つの実施形態による吊り下げ具の概略平面図である。この吊り下げ具１００は、１枚のシート材からなる。該シート材は、折り曲げ線３０を有し、折り曲げ線３０を介して折り曲げ可能となっている。吊り下げ具１００は、折り曲げ線３０から一方に延びる第１の切り込み部１ａと、折り曲げ線３０から他方に延びる第２の切り込み部２ａとを有する。第１の切り込み部および第２の切り込み部とは、折り曲げ線において開いた形状で形成された切り込み線と折り曲げ線とにより規定される面である。なお、図示例においては、長方形のシート材が図示されているが、シート材の形状は、長方形に限定されず、任意の適切な形状をとり得る。
【００１０】
本実施形態においては、第１の切り込み部１ａは、折り曲げ線３０から紙面の右上方向斜めに延び、先端部１１ａが屈曲して鉤状を形成している。また、第２の切り込み部２ａは、第１の切り込み部１ａの延出方向とは反対側（すなわち、紙面の左下方向）に、折り曲げ線３０から斜めに延び、先端部２１ａが、第１の切り込み部１ａが屈曲する方向とは反対側に屈曲して鉤状を形成している。なお、図示例においては、第１の切り込み部１ａと第２の切り込み部２ａとは折り曲げ線３０において接しているが、第１の切り込み部と第２の切り込み部とは接していなくてもよい。
【００１１】
図２は、図１の吊り下げ具を折り曲げた状態を示す概略斜視図である。本発明の吊り下げ具は、折り曲げ線３０を介して下方向に折り曲げた際に、第１の切り込み部１ａにより形成される第１の突出部１０ａおよび第２の切り込み部２ａにより形成される第２の突出部２０ａが、折り曲げ線３０から上方向に起立する。第１の突出部１０ａおよび第２の突出部２０ａの一部（図示例においては胴部１２ａ、２２ａおよび先端部１１ａ、２１ａ）が重なり合うことにより、吊り下げ孔４０が形成される。換言すれば、第１の切り込み部１ａおよび第２の切り込み部２ａは、起立した第１の突出部１０ａおよび第２の突出部２０ａの一部が互いに重なり合って吊り下げ孔４０を形成するように、形成される。本実施形態においては、第１の突出部１０ａと第２の突出部２０ａとが、それぞれ異なる向きに傾いて起立し、胴部１２ａ、２２ａにおいて交差している。このような形態であれば、耐荷重に優れる吊り下げ具を得ることができる。また、本実施形態においては、第１の突出部１０ａおよび第２の突出部２０ａは、共に先端部１１ａ、２１ａが屈曲しており（すなわち、鉤状であり）、該先端部１１ａ、２１ａにおいて重なりあっている。このような形態であれば、第１の突出部１０ａおよび第２の突出部２０ａの両方がフックの役割を果たすので、より離脱し難く、かつ、耐荷重に優れる吊り下げ具を得ることができる。また、図１では、前側の折り曲げ片１０１から延びる第１の突出部１０ａは、その全部が後側の折り曲げ片１０２から延びる第２の突出部２０ａの前側にあるが、第１の突出部１０ａは、その胴部１２ａで第２の突出部２０ａとの前後が入れ替わっていてもよく、その先端部１１ａで第２の突出部２０ａとの前後が入れ替わっていてもよく、その胴部１２ａで第２の突出部２０ａとの前後が入れ替わりさらに先端部１１ａで前後が入れ替わっていてもよい。なお、本明細書において、鉤状とは、吊り下げ棒に吊り下げるべく先端部が曲がった形状あるいは折れた形状をいい、先端部が曲線で形成された形状（図２に示す形状）でもよく、先端部が直線で形成された形状（略コ字状）であってもよく、先端部が曲線と直線とにより形成された形状でもよい。
【００１２】
図３（ａ）〜（ｃ）は、本発明の吊り下げ具の使用形態の一例を説明する図である。本発明の吊り下げ具１００は、商品が入れられた包装用袋、包装用箱、展示用台紙等の包装材の上部に取り付けて用いられ得る（図３（ａ）においては包装用袋）。吊り下げ具１００が取り付けられた包装材（商品）は、吊り下げ具に形成された吊り下げ孔４０に吊り下げ棒を挿入して、陳列され得る。本発明の吊り下げ具は、重なり合った第１の突出部１０ａと第２の突出部２０ａとを開いた状態、すなわち吊り下げ孔４０を開いた状態にして吊り下げ作業を行うことができる（図３（ｂ））。そのため、吊り下げ棒の手前のみならず任意の位置に商品を陳列することができる。なお、第１の突出部１０ａと第２の突出部２０ａとは、該突出部を直接つかんで開いてもよく、吊り下げ具の下部（折り曲げられたシート材）をつかむことにより間接的に開いてもよい。上記のようにして、吊り下げ作業が行われた後は、再度、吊り下げ孔４０が閉じる（図３（ｃ））。その結果、包装用材が吊り下げ棒から不用意に離脱することが防止され得る。また、包装材（商品）を取り出す際には、吊り下げ作業と同様に吊り下げ孔を開いて行うことができるので、吊り下げ棒の手前のみならず任意の位置から商品を取り出すことができる。
【００１３】
上記シート材を構成する材料は、折り曲げ可能かつ商品の重量に耐え得る強度を有している限りにおいて、任意の適切な材料を用いることができる。例えば、紙、プラスチックシート、金属シート等が挙げられる。
【００１４】
上記シート材の幅ｘおよび長さｙは、任意の適切な幅に設定され得る。シート材の幅ｘは、吊り下げ具を取り付ける包装用材の上辺の長さと同じであってもよく、異なっていてもよい。また、シート材の幅ｘは、吊り下げ具を取り付ける包装材の上辺より短くてもよく、長くてもよい。
【００１５】
本発明の吊り下げ具は、任意の適切な方法により、包装材に取り付けられる。１つの実施形態においては、上記シート材の一方の面、より具体的には折り曲げた際に内側となる面に、粘着剤層を形成することにより、吊り下げ具を取り付け可能とする。粘着剤層は、該一方の面において、全面に設けられていてもよく、一部に設けられていてもよい。第１の切り込み部および第２の切り込み部には、粘着剤層が設けられていないことが好ましい。粘着剤層は、任意の適切な粘着剤により構成される。また、使用時までは、該粘着剤層が離型フィルムにより保護されていてもよい。
【００１６】
第１の切り込み部（第１の突出部）および第２の切り込み部（第２の突出部）の形状は、図１および図２に示す形状の他、折り曲げた際に起立して吊り下げ孔を形成し得る限りにおいて、任意の適切な形状をとり得る。以下、第１の切り込み部（第１の突出部）および第２の切り込み部（第２の突出部）のその他の例を説明するが、本発明はこれらに限定されない。また、以下に例示する形状を基本形状とし、意匠性、視認性等を加味して、例えば、突出部自体の形状を変更する（例えば、吊り下げ具の図柄に合わせた変形）、鉤状の突出部の曲線部分に凸部（例えば、半円型、ハート型）を設ける、吊り下げ孔の形状を変更する（例えば、ハート型）など、本発明の効果が得られる限りにおいて、任意の適切な変更が施されていてもよい。
【００１７】
図４は、本発明の別の実施形態による吊り下げ具の概略平面図である。この吊り下げ具２００においては、第２の切り込み部２ｂは、棒状である。この実施形態においては、該吊り下げ具を折り曲げた際には、先端部が屈曲した第１の切り込み部１ｂにより形成される鉤状の第１の突出部がフックの役割を果たす。また、折り曲げた際に、第１の突出部の先端部１１ｂと、第２の切り込み部２ｂにより形成される第２の突出部の先端部２１ｂとが重なり合うことにより、吊り下げ孔が形成される。
【００１８】
図５は、本発明のさらに別の実施形態による吊り下げ具の概略平面図である。この吊り下げ具３００においては、第１の切り込み部１ｃおよび第２の切り込み部２ｃがそれぞれＬ字状であり、全体として略Ｚ字状を形成している。この実施形態においては、第１の切り込み１ｃにより形成される第１の突出部の先端部１１ｃと、第２の切り込み２ｃにより形成される第２の突出部の先端部２１ｃとが重なり合うことにより、吊り下げ孔が形成される。
【００１９】
図６（ａ）は、本発明のさらに別の実施形態による吊り下げ具の概略平面図である。この吊り下げ具４００においては、第１の切り込み部１ｄおよび第２の切り込み部２ｄが、切り込み線３０に対して垂直に延びている。第１の切り込み部１ｄは鉤状またはＬ字状（図示例では鉤状）であり、第２の切り込み部２ｄは棒状である。また、第２の切り込み部２ｄは、折り曲げた際に、第２の切り込み部２ｄにより形成される第２の突出部の先端部２１ｄと第１の切り込み部１ｄにより形成される第１の突出部の先端部１１ｄとが重なるように、第１の切り込み部１ｄと切り込み線３０において接することなく、形成されている。なお、第２の切り込み部は、図６（ａ）に示すように棒状であってもよく、図６（ｂ）に示すように鉤状字状であってもよい。
【００２０】
図７は、本発明のさらに別の実施形態による吊り下げ具の概略平面図である。この吊り下げ具５００においては、第１の切り込み部１ｅおよび第２の切り込み部２ｅがそれぞれ切り欠き１３、２３を有し、折り曲げた際には、該切り欠きにより、吊り下げ孔が形成され得る。
【００２１】
Ｂ.第２の実施形態
図８は、本発明のさらに別の実施形態による吊り下げ具の概略平面図である。この吊り下げ具６００は、１枚のシート材からなる。該シート材は、折り曲げ線３０’を有し、折り曲げ線３０’を介して左右に折り曲げ可能となっている。また、該シート材は、折り曲げ線３０’により区分される第１の領域５０と第２の領域６０とを有する。吊り下げ具６００は、第１の領域５０において、上方向に延びる第１の突出部１０ｆを有する。また、第２の領域６０において、上方向に延びる第２の突出部２０ｆを有する。吊り下げ具６００は、折り曲げ線３０’を介して左右に折り曲げた際には、第１の突出部１０ｆおよび第２の突出部２０ｆの一部が重なり合うことにより、吊り下げ孔が形成される。第１の突出部１０ｆおよび第２の突出部２０ｆは、一部が重なり合って吊り下げ孔が形成される限りにおいて、任意の適切な形状であり得、具体例としては、上記Ａ項で説明したような形状が挙げられる。該第２の実施形態および第３の実施形態（後述）においても、上記のように、意匠性、視認性等を加味して、例えば、突出部自体の形状を変更する（例えば、図９に示すような吊り下げ具の図柄に合わせた変形）、鉤状の突出部の曲線部分に凸部（例えば、半円型、ハート型）を設ける、吊り下げ孔の形状を変更する（例えば、ハート型）など、本発明の効果が得られる限りにおいて、任意の適切な変更が施されていてもよい。
【００２２】
Ｃ.第３の実施形態
図１０（ａ）は、本発明のさらに別の実施形態による吊り下げ具の概略平面図である。この吊り下げ具７００は、１枚のシート材からなる。該シート材は、折り曲げ線３０’’を有し、折り曲げ線３０’’を介して上下に折り曲げ可能となっている。また、該シート材は、折り曲げ線３０’’により区分される第１の領域５０’と第２の領域６０’とを有する。吊り下げ具７００は、第１の領域５０’において、上方向に延びる第１の突出部１０ｇを有する。また、第２の領域６０において、下方向に延びる第２の突出部２０ｇを有する。吊り下げ具７００は、折り曲げ線３０’’を介して上下に折り曲げた際には、第１の突出部１０ｇおよび第２の突出部２０ｇの一部が重なり合うことにより、吊り下げ孔が形成される。第１の突出部１０ｇおよび第２の突出部２０ｇは、一部が重なり合って吊り下げ孔が形成される限りにおいて、任意の適切な形状であり得、具体例としては、上記Ａ項で説明したような形状が挙げられる。この実施形態の吊り下げ具は、例えば、上部に穴が設けられた包装材に対して、該穴に吊り下げ具を通すようにして取り付けて用いられ得る。
【００２３】
図１０（ａ）においては、折り曲げ線３０’’が対向する辺を結ぶようにして設けられているが、折り曲げ線３０’’は、例えば図１０（ｂ）に示すように、左右方向の一部にのみ設けられていてもよい。この場合、第２の領域６０’’には、第２の領域６０’’の一部が折り返し可能となるように切り込み線７０が入れられる。図１０（ｂ）に示す吊り下げ具は、例えば、第２の領域６０’’の切り込み線７０の平面視における内側の部分に、包装材を取り付けて用いられ得る。また、上部に穴が設けられた包装材に対して、該穴に吊り下げ具を通すようにして取り付けて用いられてもよい。
【００２４】
本発明の別の局面によれば、上記吊り下げ具を備える包装材が提供される。包装材としては、例えば、包装用袋、包装用箱および展示用台紙等が挙げられる。吊り下げ具を備える包装材は、包装材とは別に製造された吊り下げ具が取り付けられた包装材であってもよく、包装材の一部として吊り下げ具を有する、すなわち、吊り下げ具と一体に製造された包装材であってもよい。
【符号の説明】
【００２５】
１ａ    第１の切り込み部
２ａ    第２の切り込み部
１０ａ  第１の突出部
２０ａ  第２の突出部
３０    折り曲げ線
４０    吊り下げ孔
【図１】
2015003761.tif 000003
【図２】
2015003761.tif 000004
【図３】
2015003761.tif 000005
【図４】
2015003761.tif 000006
【図５】
2015003761.tif 000007
【図６】
2015003761.tif 000008
【図７】
2015003761.tif 000009
【図８】
2015003761.tif 000010
【図９】
2015003761.tif 000011
【図１０】
2015003761.tif 000012